(57)【要約】【課題】  不要になった記録媒体を読み取り不可能な状態に処理することができる記録媒体破壊装置を提供することである。【解決手段】  ピンを駆動し、前記ピンが、記録媒体に記録された情報を再生不能に破壊する記録媒体破壊装置であり、ピン駆動部４のピン１’を中空にしてその内部に接着剤（樹脂）６０を流通させる。そしてピン１’をハードディスク１５に突き刺した後、ピン１’を通じてハードディスク１５のケース３８内に接着剤を流し込む。【選択図】  図２
2006004600.tif 000002
【特許請求の範囲】
【請求項１】
ケース内に情報を記録する記録素子が内蔵された記録媒体を破壊する記録媒体破壊装置において、外力によってケース内の記録素子を破壊する外力破壊手段と、ケース内に樹脂を注入する樹脂注入手段を備えたことを特徴とする記録媒体破壊装置。
【請求項２】
外力破壊手段は、ケースとその内部の記録素子を穿孔する穿孔手段であることを特徴とする請求項１に記載の記録媒体破壊装置。
【請求項３】
穿孔手段は、記録媒体に押圧されるピン状物、記録媒体に押圧される針状物、回転するドリル、回転する錐のいずれかであることを特徴とする請求項１又は２に記載の記録媒体破壊装置。
【請求項４】
穿孔手段は、中空であり、前記中空部分を流路として樹脂がケース内に注入されることを特徴とする請求項１乃至３のいずれかに記載の記録媒体破壊装置。
【請求項５】
穿孔手段は、複数のピン状物、複数の針状物、複数のドリル、複数の錐のいずれかであり、その中の少なくとも一本が中空であり、前記中空部分を流路として樹脂がケース内に注入されることを特徴とする請求項１乃至３のいずれかに記載の記録媒体破壊装置。
【請求項６】
樹脂注入手段は、ケース内の挿入されるノズルを有し、当該ノズルから樹脂が注入されることを特徴とする請求項１乃至３のいずれかに記載の記録媒体破壊装置。
【発明の詳細な説明】
【技術分野】
【０００１】
本発明は、ハードディスク等の様に、ケースに記録素子が内蔵された記録媒体を読み取り不能に破壊する記録媒体破壊装置に関するものである。
【背景技術】
【０００２】
昨今、コンピュータ関連の技術の進展に伴い、ハードディスクやメディアカード等の大容量の記録媒体が開発され、大企業や大学等の研究機関による特殊用途に限らず、一般家庭においてもごく普通に大容量の記録媒体が用いられるようになった。ハードディスクやメディアカード等は、益々大容量化の一途を辿っており、わずか数年のうちに新規で、より大容量の記録媒体に買い換え、不要になった既存の記録媒体が処分される機会が多くなった。
【０００３】
不要になった記録媒体を処分する際には、機密情報が漏洩しないように細心の注意を要し、記録されている情報を消去するか、又は記録されている情報を読み取り不可能な状態にする必要がある。
【０００４】
記録情報を消去するには、ダミーのデータを複数回書き込みする等の手段が考えられるが、消去したい情報を完全に読み取り不可能な状態にするには、相当な時間が必要である。そこで、情報を消去するのではなく、物理的に記録媒体を破壊して読み取りが不可能な状態にする方が現実的な処理方法であり、このような処理方法を採用した技術が、特許文献１に開示されている。
【特許文献１】特開２００４−０７１０５７公報
【０００５】
特許文献１に開示された発明は、記録媒体に物理的な力を加えて穿孔するものである。
【発明の開示】
【発明が解決しようとする課題】
【０００６】
特許文献１に開示された装置を使用すると、記録媒体が穿孔されるから、通常の方法や装置を使用しては記録内容を読みだすことはできない。しかしながら、国家気密や、企業の命運を握る様な重要情報、刑事事件における重要証拠等の極めて重要の情報が記録された記録媒体は、あらゆる手段を講じて読み取りが試みられる。
特許文献１に開示された装置で破壊された記録媒体に、上記した様な重要情報が記録されていた場合、果して内容が読みだされないだろうかという不安がある。即ち特許文献１に開示された装置は、記録媒体に穿孔するものであるから、穿孔された部位は読み出しが不可能である。しかしながら、穿孔されていない部位からは、情報の読み出しが可能である。
【０００７】
そこで本発明は、情報の読み出しを不能な状態に破壊することを、より確実に行うことができる記録媒体破壊装置を提供することを目的とする。
【課題を解決するための手段】
【０００８】
上記課題を解決するための請求項１に記載の発明は、ケース内に情報を記録する記録素子が内蔵された記録媒体を破壊する記録媒体破壊装置において、外力によってケース内の記録素子を破壊する外力破壊手段と、ケース内に樹脂を注入する樹脂注入手段を備えたことを特徴とする記録媒体破壊装置である。
【０００９】
本発明の記録媒体破壊装置では、外力破壊手段によってケース内の記録素子が破壊されるから、本発明の記録媒体破壊装置で破壊された記録媒体は、通常の読み取り装置によっては情報を読みだすことができない。記録媒体から無理やりにデータを読み取ろうとすれば、記録素子をケースから取り出さなければならない。そのためには変形したケースをこじ開ける必要がある。ここで本発明の記録媒体破壊装置では。ケース内に樹脂が流し込まれているので、ケースをこじ開ける際にケースと共に記録素子の記録面が剥がれる。そのためケースから記録素子を取り出すことが困難となり、安全性が高い。
【００１０】
請求項２に記載の発明は、外力破壊手段は、ケースとその内部の記録素子を穿孔する穿孔手段であることを特徴とする請求項１に記載の記録媒体破壊装置である。
【００１１】
本発明の穿孔手段によって記録素子に孔をあけるので、破壊されたことが明確に分かる。
【００１２】
穿孔手段としては、例えば記録媒体に押圧されるピン状物、記録媒体に押圧される針状物、回転するドリル、回転する錐等を採用することができる（請求項３）。
【００１３】
請求項４に記載の発明は、穿孔手段は、中空であり、前記中空部分を流路として樹脂がケース内に注入されることを特徴とする請求項１乃至３のいずれかに記載の記録媒体破壊装置である。
【００１４】
本発明によると、記録素子に対する穿孔と樹脂の注入を一つの部材で行うことができる。
【００１５】
請求項５に記載の発明は、穿孔手段は、複数のピン状物、複数の針状物、複数のドリル、複数の錐のいずれかであり、その中の少なくとも一本が中空であり、前記中空部分を流路として樹脂がケース内に注入されることを特徴とする請求項１乃至３のいずれかに記載の記録媒体破壊装置である。
【００１６】
本発明によると、記録素子に対する穿孔するための部材と、樹脂の注入を行う部材を共通の部材で行うことができる。
【００１７】
請求項６に記載の発明は、樹脂注入手段は、ケース内の挿入されるノズルを有し、当該ノズルから樹脂が注入されることを特徴とする請求項１乃至３のいずれかに記載の記録媒体破壊装置である。
【００１８】
本発明の記録媒体破壊装置では、ノズルから樹脂が注入される。
【発明の効果】
【００１９】
本発明は、不要になった記録媒体を読み取り不可能な状態に破壊することができる。また本発明の記録媒体破壊装置で破壊された記憶媒体は、従来の装置で破壊されたものに比べて情報の読み取りが困難である。
【発明を実施するための最良の形態】
【００２０】
図１は、本発明を実施した記録媒体破壊装置の正面図である。
図２は、駆動部の一例を示すものであり、駆動部のピンがハードディスクを貫いた状態における要部の断面斜視図である。図３は、駆動部の変形例を示すものであり、（ａ）は、駆動部のドリルがハードディスクを貫いた状態における要部の断面斜視図、（ｂ）は、ノズルによって樹脂を注入している状態における要部の断面斜視図である。
【００２１】
図１に示すように記録媒体破壊装置１００は、本体装置５１と、監視装置５０によって構成されている。すなわち本体装置５１は、モータ３を固定する固定台２０とハードディスク固定台５等を備え、監視装置５０は、後記する様にビデオカメラ１０等を具備するものである。
【００２２】
本体装置５１にはモータ３が固定されており、さらにモータ３には、減速機２が設けられている。モータ３は、減速機２を介して下面に複数の下向きのピン１を固着した駆動部４を支持している。駆動部４は、モータ３を正回転又は逆回転させることにより、上下方向に往復移動させることができるようになっている。即ち駆動部４は、回転することなく直線的に上下方向に往復移動する。
【００２３】
駆動部４の下方には、ハードディスク固定台５が設置されている。ハードディスク固定台５には、ハードディスク１５を所定位置に配置するためのガイド部材６が設けてある。ガイド部材６にガイドされたハードディスク１５は、データ記録部分の真上に少なくとも１本のピン１がくるようにハードディスク固定台５上に水平方向に移動不能に配置される。
【００２４】
また、ハードディスク固定台５上には、押しボタン式のスイッチ７が設置されている。スイッチ７は、ハードディスク１５がハードディスク固定台５上に配置された際に、ハードディスク１５の下面で押し下げられ、ハードディスク１５がハードディスク固定台５上に配置されたことを検出し、この検出信号を図示しない信号線を介して後述する監視装置５０に伝送する機能を有している。
【００２５】
本実施形態の記録媒体破壊装置１００では、図示しない作業開始スイッチをオンすると、モータ３が正回転し、駆動部４が降下する。そして駆動部４のピン１がハードディスク１５を押圧して変形させ、さらにピン１がハードディスク１５の記録部分を貫通する。この様にハードディスク１５を破壊した後、モータ３が逆回転し、駆動部４が上昇して待機位置にもどる。
【００２６】
本実施形態は、複数のピン１を備えた駆動部４を採用し、駆動部４に設けられたピン１をハードディスク１５に突き刺し、ハードディスク１５を破壊するものであるが、これに加えて、ハードディスク１５のケース内に接着性の樹脂を充填する構成を備えている。
【００２７】
例えば図２に示すように、駆動部４の複数のピン内の一本、あるいは複数本のピン１’を中空にしてその内部に接着剤（樹脂）６０を流通させる。そしてピン１’をハードディスク１５に突き刺した後、ピン１’を通じてハードディスク１５のケース３８内に接着剤６０を流し込む。
このようにケース３８内に接着剤６０を流し込む理由は次の通りである。即ち破壊されたハードディスクから無理やりにデータを読み取ろうとすれば、ハードディスク自体をケースから取り出さなければならない。そのためには変形したケースをこじ開ける必要がある。ここで本実施形態の様に、ハードディスク１５のケース３８内に接着剤６０が流し込まれていれば、ケースをこじ開ける際にケースと共にハードディスクの記録面が剥がれる。そのため本実施形態の様にハードディスク１５のケース内に接着性の樹脂を充填する方策を採用すれば、ハードディスク１５のケースからの取り出しが困難となり、安全性が高い。
【００２８】
上記した実施形態で、ピン１（１’）を押圧することによってケース３８及び内部のハードディスク（記録素子）１５を穿孔したが、より細い、針状のものを押圧したり、回転するドリル、錐等によってハードディスク（記録素子）１５を穿孔することもできる。
また、図３（ａ）の様にドリル６１等によって穿孔した後、図３（ｂ）の様にこの孔に他のノズル６２を差し込み、接着剤（樹脂）６０を注入してもよい。
【００２９】
なお本実施形態では、監視装置５０は、ビデオカメラ１０とコントローラ２１を備えている。コントローラ２１は、ＣＰＵ８とメモリ９とを有している。コントローラ２１とビデオカメラ１０とは、信号線１１で接続されている。コントローラ２１は、この信号線１１を介してビデオカメラ１０を操作することができるようになっている。また、ビデオカメラ１０が撮影した映像は、信号線１１を介してコントローラ２１のメモリ９に記録することができるようになっている。
【００３０】
コントローラ２１は、図示しない信号線でスイッチ７と接続されている。スイッチ７は、ハードディスク固定台５上にハードディスク１５が配置されたことを検出し、検出信号をコントローラ２１へ伝送する。検出信号が入力されたコントローラ２１は、ビデオカメラ１０に対して撮影開始の指令信号を発信する。
【００３１】
ビデオカメラ１０は、コントローラ２１から撮影開始の指令信号を受けると、ハードディスク固定台５に配置されたハードディスク１５の撮影を開始し、撮影終了の指令信号を受けると撮影を終了する。撮影した映像データは、信号線１１を介してコントローラ２１のメモリ９に伝送され、記録される。
【００３２】
ハードディスク固定台５上にハードディスク１５が配置され、スイッチ７から検出信号が入力されたコントローラ２１は、コード番号を発行し、コード番号と検出信号を受けた日時（時刻を含む）とを一つの関連付けられたデータ（例えば、ＣＳＶテキストデータ形式等の汎用性のある形式のデータであることが好ましい。）としてメモリ９に記録する。
【００３３】
即ちこのコード番号は、今から破壊処理されるハードディスク固定台５上のハードディスク１５に付与された固有のものであり、メモリ９には、このハードディスク１５が何時破壊されたかが映像データと共に記録される。
【００３４】
さらに、この記録媒体破壊装置１００自身の製造番号を、同時にメモリ９に記録するようにしてもよい。そのようにすれば、当該ハードディスク１５が何時、どの破壊装置で破壊されたかを証明することができ、当該ハードディスク１５の所有者は安心してハードディスク１５を破棄することができるようになる。
【００３５】
上述した例では、モータ３と減速機２とで駆動部４を駆動して、ハードディスク１５を加圧・破壊する記録媒体破壊装置１００の例を示したが、記録媒体破壊装置１００の駆動部４の駆動源としては、油圧、水圧又は空気圧で駆動するものであっても、監視装置５０によるハードディスク１５の破壊状況の監視は何ら支障なく行うことができる。
【図面の簡単な説明】
【００３６】
【図１】本発明を実施した記録媒体破壊装置の正面図である。
【図２】駆動部の一例を示すものであり、駆動部のピンがハードディスクを貫いた状態における要部の断面斜視図である。
【図３】駆動部の変形例を示すものであり、（ａ）は、駆動部のドリルがハードディスクを貫いた状態における要部の断面斜視図、（ｂ）は、ノズルによって樹脂を注入している状態における要部の断面斜視図である。
【符号の説明】
【００３７】
１，１’  ピン
２  減速機
３  モータ
４  駆動部
５  ハードディスク固定台
６  ガイド部材
７  スイッチ
８  ＣＰＵ
９  メモリ
１０  ビデオカメラ
１１  信号線
１５  ハードディスク
２１  コントローラ
５０  監視装置
６０  接着剤（樹脂）
１００  記録媒体破壊装置
【図１】
2006004600.tif 000003
【図２】
2006004600.tif 000004
【図３】
2006004600.tif 000005